(57)【要約】【課題】  電子機器を卓上で使用するときに無段階で設置角度を設定出来るようにする。【解決手段】  電子機器と前記電子機器と係合するスタンド部材と棒状部材、また電子機器の角度を固定する高摩擦力部材からなる電子機器の無段階の角度設定構造であって、電子機器とスタンド部材は回転自在に係合し、電子機器と棒状部材は移動自在に摺動され、また、棒状部材には高摩擦力部材が係合し、棒状部材が摺動することによりスタンド部材と電子機器が回動し、電子機器の設置面と操作面からなる角度を任意に設定することができ、また、その角度を無段階で調節できるようにする。【選択図】  図１
2015070355.tif 000002
【特許請求の範囲】
【請求項１】
所定の棒状部材が挿入される長穴が形成されている所定の卓上機器の筐体と、前記筐体の所定の箇所の一軸を回転軸として回転自在に係合されるスタンド部材と、前記スタンド部材の天面および前記長穴を摺動する棒状部材と、からなる前記卓上機器の無段階角度設定構造であって、
前記長穴は、前記筐体の底面の略平行に形成され、前記棒状部材が前記長穴に沿って摺動する構造を有し、
前記スタンド部材は、前記棒状部材の摺動に応じて、前記天面との接点が移動し、前記接点と前記回転軸との距離に応じて、前記筐体の底面と前記卓上機器が設置される面のなす角が可変する構造を有し、
前記長穴の前記棒状部材と接触する部位および前記スタンド部材の天面は、前記卓上機器の重量により前記なす角が崩れることを防止できる抗力を発生する摩擦係数を有することを特徴とする無段階角度設定構造。
【請求項２】
請求項１に記載の無段階角度設定構造であって、
前記スタンド部材の天面および前記天面と接触する前記棒状部材の部位に、面ファスナーが形成されていることを特徴とする無段階角度設定構造。
【発明の詳細な説明】
【技術分野】
【０００１】
本発明は、卓上で使用する電子機器における設置角度の設定構造に関する。
【背景技術】
【０００２】
従来の電子機器の設置角度設定構造として、筐体底部とスタンド部材が係合し、係合しているスタンド部材が筐体を支持することにより、電子機器の設置角度を段階的に設定するものがある（例えば、特許文献１）。
【０００３】
上述した特許文献１に記載の角度設定構造は、スタンドによって決められた設置角度に設定することはできるが、使用者が所望する任意の設置角度での設置はできないという問題がある。
【先行技術文献】
【特許文献】
【０００４】
【特許文献１】特許公開２００９−２７８４１４
【発明の概要】
【発明が解決しようとする課題】
【０００５】
上記の問題点を解決するために、本発明の目的は使用者が所望する任意の設置角度での設置が可能な電子機器の設置角度設定構造を提供することにある。
【課題を解決するための手段】
【０００６】
上記課題を解決するため、本発明は所定の棒状部材が挿入される長穴が形成されている所定の卓上機器の筐体と、前記筐体の所定の箇所の一軸を回転軸として回転自在に係合されるスタンド部材と、前記スタンド部材の天面および前記長穴を摺動する棒状部材と、からなる前記卓上機器の無段階角度設定構造であって、前記長穴は、前記筐体の底面の略平行に形成され、前記棒状部材が前記長穴に沿って摺動する構造を有し、前記スタンド部材は、前記棒状部材の摺動に応じて、前記天面との接点が移動し、前記接点と前記回転軸との距離に応じて、前記筐体の底面と前記卓上機器が設置される面のなす角が可変する構造を有し、前記長穴の前記棒状部材と接触する部位および前記スタンド部材の天面は、前記卓上機器の重量により前記なす角が崩れることを防止できる抗力を発生する摩擦係数を有することを特徴とする。
【発明の効果】
【０００７】
本発明によれば、使用者が所望する任意の角度に電子機器を設定することができ、かつ、無段階の角度設定構造機能を有する構造を提供できる。
【図面の簡単な説明】
【０００８】
【図１】本発明の無段階角度設定構造を有するスタンド及び電子機器の構成を示す斜視図
【図２】スタンドの斜視図
【図３】棒状部材の斜視図
【図４】電子機器の斜視図
【図５】高摩擦力部材の斜視図
【図６】スタンドと棒状部材と高摩擦力部材と電子機器が組み合わされた図
【図７】電子機器の設置角度の変更を示す斜視図
【発明を実施するための形態】
【０００９】
図１は、本発明の無段階角度設定構造を有するスタンド及び電子機器の構成を示す斜視図である。本実施例における筐体は、スタンド１１と、棒状部材２１、スタンド１１と棒状部材２１が接続される電子機器３１から構成される。電子機器３１の操作面を見やすくするために、設置面と操作面、または設置面と表示面からなる設置角度を、棒状部材２１の摺動によって調整するものである。調整方法についての詳細は後述する。
【００１０】
図２は、スタンド１１の斜視図である。スタンド１１には後述する電子機器３１の側面手前に設けられた凹部３３と回転自在に係合する凸部１２がスタンド１１の前方内側面に一対設けられている。また、スタンド１１は円弧形状となっており、後述する棒状部材２１がスタンド１１の天面１３を摺動することによって角度調節がなされる。
【００１１】
スタンド１１を円弧形状にすることにより、棒状部材２１がスタンド１１の天面１３を摺動する距離が長くなり、使用者は所望する任意の角度に設定しやすい。また、円弧形状により静止時には棒状部材２１とスタンド１１の接触によるスタンドに掛かる力の方向が棒状部材２１とスタンド１１とが接触する面に対してほぼ垂直になるため、摺動方向へかかる力が少なく、静止を維持できる。
【００１２】
図３は、棒状部材２１の斜視図である。棒状部材２１は、棒状部材２１の内側面に小判形状の凸部２２、底面に円弧状に掘られた凹部２３をそれぞれ一対ずつ設けており、小判形状の凸部２２は後述する電子機器３１が有する長穴３２内で摺動し、円弧状に掘られた凹部２３は後述する高摩擦力部材４１が接着されている。
【００１３】
図４は、電子機器３１の斜視図である。電子機器３１は、電子機器３１の側面手前にスタンド１１に一対設けられた凸部１２と回転自在に係合する凹部３３が設けられている。また電子機器３１は、電子機器３１の側面手前から側面奥に向かって、棒状部材２１に一対設けられた小判形状の凸部２２が摺動する長穴３２が設けられている。
【００１４】
図５は高摩擦力部材４１の斜視図である。棒状部材２１に設けられた凹部２３に接着される。ここで、高摩擦力部材４１はゴム材とする。尚、本発明を実施するに当たり電子機器３１の底面と電子機器３１が設置される面のなす角が崩れることを防止できるならば、ゴム材に限らずともスポンジや吸盤、再剥離可能な両面テープなどを使用しても本発明を実施することが可能である。
【００１５】
図６は、スタンド１１と棒状部材２１、及び電子機器３１が組合された図である。電子機器３１の凹部３３に、スタンド１１の凸部１２が回転自在に係合しており、電子機器３１の長穴３２に棒状部材２１の凸部２２が係合する。これにより従来の筐体底部にベース部材が回転自在に係合される角度設定構造（特許文献１）において、回動部分にのみ掛かっていた負荷が、本発明における電子機器３１とスタンド１１の係合部、及び電子機器３１と棒状部材２１の係合部、スタンド１１と棒状部材２１の接合部の３つの支持部によって前述の角度設定構造よりも支持部に掛かる負荷が分散される。そのため、筐体上部から外力が掛かった場合にも従来の角度設定構造に比べて、回転軸または係合部の破損が起こりにくい構造にすることが出来る。
【００１６】
図７は、電子機器３１を設置面から任意の角度で設置している図である。電子機器３１の設置面と操作面、または設置面と表示面からなる設置角度において、電子機器３１と係合している棒状部材２１をA方向に移動させることで、棒状部材２１とスタンド１１が係合している場所が変化し角度を変更できる。さらに、電子機器３１と回転自在に係合しているスタンド１１において、棒状部材２１の高摩擦力部材４１とスタンド天面１３が接合することで電子機器３１の角度が固定される。重力により電子機器３１は設置面に倒れ込もうとするが、電子機器３１と係合された棒状部材２１に接着してある高摩擦力部材４１がスタンド天面１３と滑止されることで電子機器３１と操作面または表示面からなる角度は維持される。
【００１７】
以上、本実施例の発明について説明した。
【００１８】
本実施例では、電子機器３１に設けられたスタンド１１と回転自在に係合する凹部とスタンド１１に設けられた凸部１２が回転自在に係合し、また、電子機器３１に設けられた棒状部材２１と摺動する長穴３２に棒状部材２１内側面に設けられた小判形状の凸部２２が係合され、棒状部材２１を摺動させる。
【００１９】
これにより、スタンド１１と棒状部材２１の接点が摺動によって、スタンド１１の天面を摺動し、使用者が所望する任意の設置角度を実現することが出来る。
【００２０】
また、本実施例のスタンド１１を円弧形状にすることにより、棒状部材２１がスタンド１１の天面１３を摺動する距離が長くなり、使用者は所望する任意の角度に設定しやすく、静止時には棒状部材２１とスタンド１１の接触によるスタンドに掛かる力の方向が棒状部材２１とスタンド１１とが接触する面に対してほぼ垂直になるため、摺動方向へかかる力が少なく、静止を維持できる。
【００２１】
また、本実施例では、スタンド１１の天面１３および天面１３と接触する棒状部材２１との接点に、高摩擦力部材４１を使用しているが、面ファスナーを使用することによっても実施可能であり同様の効果がある。
【００２２】
また、本実施例では、スタンド１１の形状を円弧形状としているが、求める設置角度によっては、直線や湾曲した形状に変更しても実施可能である。
【符号の説明】
【００２３】
１１  スタンド
１２  スタンド−凸部
１３  スタンド−天面
２１  棒状部材
２２  小判形状の凸部
２３  円弧状に掘られた凹部
３１  電子機器
３２  棒状部材と摺動する長穴
３３  スタンドと回転自在に係合する凹部
４１  高摩擦力部材
【図１】
2015070355.tif 000003
【図２】
2015070355.tif 000004
【図３】
2015070355.tif 000005
【図４】
2015070355.tif 000006
【図５】
2015070355.tif 000007
【図６】
2015070355.tif 000008
【図７】
2015070355.tif 000009